(57)【要約】【課題】保留音源機器を外部接続してなるボタン電話主装置において、保留音源のレベル調整を内蔵のタイムスイッチＬＳＩに設定されるデジタルパッド部を介して、デジタルキーテレホンまたはパソコン等のキー操作により簡便に行うことができるボタン電話装置の保留音調整システムを提供する。【解決手段】通話音声のレベル選択を行うタイムスイッチＬＳＩ１６を設けたボタン電話主装置１０からなり、前記タイムスイッチＬＳＩ１６を介して保留音源機器１８を外部接続し、その保留音源をレベル調整可能に構成してなるボタン電話装置の保留音調整システムにおいて、前記タイムスイッチＬＳＩ１６に、外部保留音源の入力チャンネル毎にレベル調整可能なデジタルパッド部を設け、前記デジタルパッド部に対しボタン電話主装置１０に接続されたデジタルキーテレホン３６またはパソコン４０のキー操作により、外部保留音源の入力レベルをデジタルレベルで調整し得るよう構成する。【選択図】  図１
2004328229.tif 000002
【特許請求の範囲】
【請求項１】
通話音声のレベル選択を行うタイムスイッチＬＳＩを設けたボタン電話主装置からなり、前記タイムスイッチＬＳＩを介して保留音源機器を外部接続し、その保留音源をレベル調整可能に構成してなるボタン電話装置の保留音調整システムにおいて、
前記タイムスイッチＬＳＩに、外部保留音源の入力チャンネル毎にレベル調整可能なデジタルパッド部を設け、前記デジタルパッド部に対しボタン電話主装置に接続されたデジタルキーテレホンまたはパソコンのキー操作により、外部保留音源の入力レベルをデジタルレベルで調整し得るよう構成したことを特徴とするボタン電話装置の保留音調整システム。
【請求項２】
前記タイムスイッチＬＳＩの信号入出力側に符号／復号器を接続配置して、前記保留音源機器から出力される外部保留音源を、ＰＣＭ符号化し予め割り当てられたチャンネルを介して前記タイムスイッチＬＳＩのデジタルパッド部に入力し、このデジタルパッド部においてデジタルキーテレホンまたはパソコンのキー操作により設定された保留音源のレベルに選択設定された後、復号化されて保留音として送出されるように設定したことを特徴とする請求項１記載のボタン電話装置の保留音調整システム。
【発明の詳細な説明】
【０００１】
【発明の属する技術分野】
本発明は、ビジネスボタン電話装置における保留音の調整システムに係り、特にビジネスボタン電話装置に接続した外部保留音源に対するボリューム調整システムに関するものである。
【０００２】
【従来の技術】
従来のビジネスボタン電話装置において、局線通話や内線通話に際してボタン電話機側が通話の保留操作を行った場合に、保留音を生成する手段として、ボタン電話主装置に対し外部接続した複数の保留音源機器（例えば、ラジオ、カセットデッキ、ＣＤプレイヤー等）からの音源を、保留音として送出するように構成したものが知られている。このように構成された従来のビジネスボタン電話装置における前記保留音源機器による保留音は、音のレベル調整を前記保留音源機器とのそれぞれ接続ラインに設けたハードボリュームにより行っていた。
【０００３】
図３は、従来のビジネスボタン電話装置のボタン電話主装置における外部保留音源のボリューム調整機構を示す概略構成図である。すなわち、図３において、ボタン電話主装置１０は、電話機１３の公衆網１４と接続される局線インタフェース１２と、入出力側においてそれぞれ符号／復号器（ＣＯＤＥＣ）１２ａ、１２ｂおよび１７ａ、１７ｂ、１７ｃを介して接続配置されるタイムスイッチＬＳＩ１６と、複数の保留音源機器１８ａ、１８ｂ、１８ｃと外部接続するための接続端子Ｐ１  、Ｐ２  、Ｐ３  とを備え、前記接続端子Ｐ１  、Ｐ２  、Ｐ３  とそれぞれ接続されるアナログ信号ラインに、音のレベル調整を行うためのハードボリューム２０ａ、２０ｂ、２０ｃを接続配置した構成からなる。
【０００４】
従って、前記構成からなる従来のビジネスボタン電話装置において、保留音源機器１８ａ、１８ｂ、１８ｃによる外部保留音源に対する音のレベル調整を行うに際しては、ボタン電話主装置１０のパネルを外す作業と共に、所要の工具等を使用してそれぞれ対応のハードボリューム２０ａ、２０ｂ、２０ｃの調整を行うものであった。
【０００５】
【発明が解決しようとする課題】
このように、従来のビジネスボタン電話装置における外部保留音源のレベル調整に際しては、複数の保留音源機器を使用する場合は、各接続端子毎にハードボリュームの設置を必要とすると共に、これらのハードボリュームを工具等を使用して個々に調整する必要があり、調整作業が著しく煩雑となる難点がある。
【０００６】
そこで、本発明者は鋭意研究並びに検討を重ねた結果、前述した従来のボタン電話主装置において使用されているタイムスイッチＬＳＩ１６には、通話音声のレベル選択（調整）を行うことができるデジタルパッド、すなわちデジタルデータにあて先およびその内容（音のレベル）を示すヘッダーを付したパケットに組立てる装置、が設けられていることから、それぞれ外部保留音源の入力チャンネル毎にレベル調整可能なデジタルパッド部を設けることにより、前記ボタン電話主装置に接続されたデジタルキーテレホン（Ｄｉｇｉｔａｌ  Ｋｅｙ  Ｔｅｌｅｐｈｏｎｅ）〔ＤＫＴ〕またはテレタイプライター（Ｔｅｌｅｔｙｐｅ  Ｗｒｉｔｅｒ  ）・インタフェース〔ＴＴＹ  Ｉ／Ｆ〕を介して接続されたパソコン（ＰＣ）により、外部保留音源の入力レベルをデジタルレベルで簡便に調整することができることを突き止めた。
【０００７】
このように構成することにより、従来のような保留音源機器との接続ライン毎に必要となるハードボリュームの設置を省略することができると共に、調整に際しても、ボタン電話主装置のパネルを外すことなく、工具等も不要となり、キー操作のみにより簡便かつ迅速に行うことができることが判った。
【０００８】
従って、本発明の目的は、保留音源機器を外部接続してなるボタン電話主装置において、保留音源のレベル調整を内蔵のタイムスイッチＬＳＩに設定されるデジタルパッド部を介して、デジタルキーテレホンまたはパソコン等のキー操作により簡便に行うことができるボタン電話装置の保留音調整システムを提供することにある。
【０００９】
【課題を解決するための手段】
前記目的を達成するため、本発明に係るボタン電話装置の保留音調整システムは、通話音声のレベル選択を行うタイムスイッチＬＳＩを設けたボタン電話主装置からなり、前記タイムスイッチＬＳＩを介して保留音源機器を外部接続し、その保留音源をレベル調整可能に構成してなるボタン電話装置の保留音調整システムにおいて、
前記タイムスイッチＬＳＩに、外部保留音源の入力チャンネル毎にレベル調整可能なデジタルパッド部を設け、前記デジタルパッド部に対しボタン電話主装置に接続されたデジタルキーテレホンまたはパソコンのキー操作により、外部保留音源の入力レベルをデジタルレベルで調整し得るよう構成したことを特徴とする。
【００１０】
この場合、前記タイムスイッチＬＳＩの信号入出力側に符号／復号器を接続配置して、前記保留音源機器から出力される外部保留音源を、ＰＣＭ符号化し予め割り当てられたチャンネルを介して前記タイムスイッチＬＳＩのデジタルパッド部に入力し、このデジタルパッド部においてデジタルキーテレホンまたはパソコンのキー操作により設定された保留音源のレベルに選択設定された後、復号化されて保留音として送出されるように設定することができる。
【００１１】
【発明の実施の形態】
次に、本発明に係るボタン電話装置の保留音調整システムの実施例につき、添付図面を参照しながら、以下詳細に説明する。
【００１２】
図１は、本発明に係るボタン電話装置の保留音調整システムの一実施例を示すシステム構成図である。なお、説明の便宜上、前述した図３に示す従来のボタン電話装置のシステム構成と同一の構成要素には、同一の参照符号を付し、その詳細な説明は省略する。すなわち、図１において、本実施例におけるボタン電話装置の保留音調整システムにおいて、ボタン電話主装置１０に内蔵されるタイムスイッチＬＳＩ１６には、保留音源機器１８ａ、１８ｂ、１８ｃの入力チャンネルに対し、シリアル／パラレル変換部（Ｓ／Ｐ）２１、入力データメモリ２２、レベル選択機能部２３、出力マルチプレクサ２４、パラレル／シリアル変換部（Ｐ／Ｓ）２５が設けられている。
【００１３】
そして、前記入力データメモリ２２、レベル選択機能部２３、出力マルチプレクサ２４、パラレル／シリアル変換部２５を制御する手段として、コントロールレジスタ２６とコネクションメモリ２８がそれぞれ設けられると共に、これらのコントロールレジスタ２６およびコネクションメモリ２８を、ＣＰＵインタフェース３０を介して接続される制御部３２により制御されるよう構成されている。
【００１４】
さらに、前記制御部３２は、デジタルキーテレホン・インタフェース（ＤＫＴＩ／Ｆ）３４を介してデジタルキーテレホン（ＤＫＴ）３６が接続されると共に、テレタイプライター・インタフェース（ＴＴＹ  Ｉ／Ｆ）３８を介してパソコン（ＰＣ）４０が接続されるように構成されている。
【００１５】
次に、前記構成からなる本実施例によるボタン電話装置における保留音の調整操作について説明する。
【００１６】
まず、所要の保留音源機器１８ａよりボタン電話主装置１０に入力した保留音源は、符号／復号器（ＣＯＤＥＣ）１７ａにより、アナログ信号からデジタル信号へＰＣＭ符号化が行われる。このようにして符号化された保留音源は、タイムスイッチＬＳＩ１６に予め割り当てられたチャンネルに入力され、シリアル／パラレル変換部２１を介して入力データメモリ２２に蓄積される。次いで、データ蓄積された保留音源は、レベル選択機能部２３において、予め設定されているデジタルパッド部（後述する）で、前記保留音源のレベル選択（調整）をデジタルレベルで可変設定する。
【００１７】
しかるに、前記タイムスイッチＬＳＩ１６におけるレベル選択機能部２３における保留音源のレベル選択（調整）動作は、図２に示すように、デジタルデータにあて先およびその内容（音のレベル）を示すヘッダーを付したパケットに組立てる装置としてのデジタルパッド部４２を設定して、前記音のレベルを前記制御部３２に接続されたデジタルキーテレホン（ＤＫＴ）３６またはパソコン（ＰＣ）４０のキー操作により選択設定することができるように構成される。なお、本実施例において、選択設定し得る音のレベルは、＋６ｄＢ〜−１５ｄＢの範囲において８段階に設定されている。
【００１８】
このようにして、レベル設定された保留音源は、前記タイムスイッチＬＳＩ１６から出力マルチプレクサ２４およびパラレル／シリアル変換部２５を介して局線インタフェース１２に予め割り当てられているチャンネルへ出力される。そして、局線インタフェース１２の符号／復号器（ＣＯＤＥＣ）１２ａにより、ＰＣＭ符号からなるデジタルデータからアナログ信号に変換されて、公衆網１４を経由して局線通話相手の電話機１３へ保留音を送出することができる。
【００１９】
なお、前記タイムスイッチＬＳＩ１６に設定したデジタルパッド部４２のレベル選択（調整）に際しては、例えばボタン電話主装置１０に接続されたデジタルキーテレホン（ＤＫＴ）３６のキー操作により、特番を入力した後に任意のキー操作によりレベルのＵＰ／ＤＯＷＮを行うことにより、簡便に達成することができる。また、パソコン（ＰＣ）４０によっても、同様にレベル選択（調整）の設定を行うことができる。
【００２０】
以上、本発明の好適な実施例について説明したが、本発明は前記実施例に限定されることなく、本発明の精神を逸脱しない範囲内において、種々の設計変更を行うことができる。
【００２１】
【発明の効果】
前述した実施例から明らかな通り、本発明に係るボタン電話装置における保留音調整システムによれば、通話音声のレベル選択を行うタイムスイッチＬＳＩを設けたボタン電話主装置からなり、前記タイムスイッチＬＳＩを介して保留音源機器を外部接続し、その保留音源をレベル調整可能に構成してなるボタン電話装置の保留音調整システムにおいて、前記タイムスイッチＬＳＩに、外部保留音源の入力チャンネル毎にレベル調整可能なデジタルパッド部を設け、前記デジタルパッド部に対しボタン電話主装置に接続されたデジタルキーテレホンまたはパソコンのキー操作により、外部保留音源の入力レベルをデジタルレベルで調整し得る構成としたことにより、従来のように保留音源機器との接続ライン毎に必要となるハードボリュームの設置を省略することができると共に、調整に際しても、ボタン電話主装置のパネルを外すことなく、工具等も不要となり、ボタン電話主装置に接続されるデジタルキーテレホンまたはパソコン等のキー操作のみにより簡便かつ迅速に行うことができる等、多くの優れた利点が得られる。
【図面の簡単な説明】
【図１】本発明に係るボタン電話装置における保留音調整システムの一実施例を示すボタン電話主装置のシステム構成図である。
【図２】図１に示すボタン電話主装置に内蔵されるタイムスイッチＬＳＩの音のレベル調整機能を示す説明図である。
【図３】従来のボタン電話装置における保留音調整システムを示すボタン電話主装置の概略構成図である。
【符号の説明】
１０  ボタン電話主装置
１２  局線インタフェース
１２ａ、１２ｂ  符号／復号器（ＣＯＤＥＣ）
１３  電話機
１４  公衆網
１６  タイムスイッチＬＳＩ
１７ａ、１７ｂ、１７ｃ  符号／復号器（ＣＯＤＥＣ）
１８ａ、１８ｂ、１８ｃ  保留音源機器
２１  シリアル／パラレル変換部（Ｓ／Ｐ）
２２  入力データメモリ
２３  レベル選択機能部
２４  出力マルチプレクサ
２５  パラレル／シリアル変換部（Ｐ／Ｓ）
２６  コントロールレジスタ
２８  コネクションメモリ
３０  ＣＰＵインタフェース
３２  制御部
３４  デジタルキーテレホン・インタフェース（ＤＫＴ  Ｉ／Ｆ）
３６  デジタルキーテレホン（ＤＫＴ）
３８  テレタイプライター・インタフェース（ＴＴＹ  Ｉ／Ｆ）
４０  パソコン（ＰＣ）
４２  デジタルパッド部
【図１】
2004328229.tif 000003
【図２】
2004328229.tif 000004
【図３】
2004328229.tif 000005